(57)【要約】【課題】異常の発生に対して容易かつ速やかな対処を可能とする。【解決手段】放送信号を受信して得られたアナログ信号をディジタル信号に変換するＡ／Ｄ変換器を備えた放送受信装置において、制御部５１は、メモリ部５２のアドレスを循環的に指定して、ディジタル信号と該ディジタル信号の時間軸を示す情報を有した波形表示情報ＨＷを書き込む。異常検出部４１はテレビジョン装置１０の少なくとも一部について診断処理を行い動作の異常を検出したとき異常検出信号ＥＲを制御部５１に供給する。制御部５１は、動作の異常が検出されたとき、メモリ部５２への波形表示情報ＨＷの書き込みを停止する。メモリ部５２に記憶されている波形表示情報ＨＷを用いて異常が検出されたときの信号波形を表示することが可能となり、異常の発生に対する対処を容易かつ速やかに行うことができる。【選択図】        図１
2008312029.tif 000002
【特許請求の範囲】
【請求項１】
放送信号を受信して得られたアナログ信号をディジタル信号に変換するＡ／Ｄ変換器を備えた放送受信装置において、
前記ディジタル信号と該ディジタル信号の時間軸を示す情報を有した波形表示情報を記憶するメモリ部と、
前記メモリ部への前記波形表示情報の書き込みおよび読み出しを制御する制御部と、
前記メモリ部から読み出された前記波形表示情報を出力するためのインタフェース部と、
前記放送受信装置の少なくとも一部について診断処理を行うことで動作の異常が生じているか否かの検出を行う異常検出部を設け、
前記制御部は、前記メモリ部のアドレスを循環的に指定して前記波形表示情報の書き込みを行い、前記異常検出部で異常が検出されたとき前記波形表示情報の書き込みを停止する
ことを特徴とする放送受信装置。
【請求項２】
前記波形表示情報には、前記異常検出部で診断処理を行う対象の入力および／または出力のディジタル信号を含める
ことを特徴とする請求項１記載の放送受信装置。
【請求項３】
時刻情報を生成する時刻情報生成部を設け、
前記時間軸を示す情報に前記時刻情報を含めた
ことを特徴とする請求項１記載の放送受信装置。
【請求項４】
前記メモリ部は不揮発性メモリを用いて構成した
ことを特徴とする請求項１記載の放送受信装置。
【請求項５】
放送信号を受信して得られたアナログ信号をディジタル信号に変換するＡ／Ｄ変換器を備えた放送受信装置における情報記憶方法おいて、
メモリ部のアドレスを循環的に指定して、前記ディジタル信号と該ディジタル信号の時間軸を示す情報を有した波形表示情報を前記メモリ部に書き込むステップと、
前記放送受信装置の少なくとも一部について診断処理を行うことで動作の異常が生じているか否かの検出を行うステップと、
前記動作の異常が検出されたとき、前記メモリ部への前記波形表示情報の書き込みを停止するステップを設けた
ことを特徴とする情報記憶方法。
【発明の詳細な説明】
【技術分野】
【０００１】
この発明は放送受信装置と情報記憶方法に関する。詳しくは、放送受信装置で生成されたディジタル信号と該ディジタル信号の時間軸を示す情報を有した波形表示情報を、メモリ部に循環的に書き込み、放送受信装置の少なくとも一部について診断処理を行い動作の異常が検出されたときは、波形表示情報の書き込みを停止するものとして、このメモリ部に記憶されている波形表示情報を用いることで、異常の発生に対して容易かつ速やかな対処を可能とするものである。
【背景技術】
【０００２】
従来、放送受信装置で異常が生じた場合、保守作業者が設置現場（例えばユーザ宅）に訪問して、異常の原因調査や修理等が行われている、また、異常を生じた放送受信装置を購入店やメーカが回収して対応することも行われている。ここで、異常が生じた原因の解析を行う場合、放送受信装置のカバーを取り外して、計測器例えばオシロスコープ等を内部回路に接続して波形観測等が行われる。
【０００３】
オシロスコープは、特許文献１の発明に開示されているように、Ａ／Ｄ変換手段と表示データ記憶手段と波形表示回路および内蔵表示手段を有している。Ａ／Ｄ変換手段は、アナログの入力信号をディジタル信号に変換する。表示データ記憶手段は、Ａ／Ｄ変換手段で得られたディジタル信号を記憶する。波形表示回路は、表示データ記憶手段から出力されるディジタル信号を波形表示可能な信号に変換する。内蔵表示手段は、波形表示回路から供給された信号に基づき波形表示を行う。
【０００４】
また、特許文献２の発明では、テレビゲーム機とテレビ受像機と電子回路を用いてオシロスコープを構成することが開示されている。この電子回路には、観察の対象となる電気信号を受け入れるための入力部、入力部に入力された信号を減衰するための減衰器、減衰器からバッファアンプを介して供給された信号をディジタル信号に変換するためのＡ／Ｄ変換器、Ａ／Ｄ変換器の出力を保持するためのデータバッファ、タイミングをとるためのクロック、オシロスコープ装置全体の制御を行うためのソフトウェアを記憶したＲＯＭが設けられている。このＲＯＭに記憶されているソフトウェアがインタフェース部を通じて、テレビゲーム機のＣＰＵへと読み出されて、実行され、オシロスコープとして必要な機能が実現されて、測定結果がテレビ受像機の画面上に表示される。
【０００５】
【特許文献１】特許第３０７５４２５号公報
【特許文献２】特開平８−９４６７４号公報
【発明の開示】
【発明が解決しようとする課題】
【０００６】
ところで、異常が頻繁に生ずる場合には、オシロスコープ等を用いることで異常が生じたときの信号波形等を容易に確認することが可能であり速やかに対処できる。しかし、異常の発生頻度が少ない場合には、オシロスコープ等を用いて測定を行っても異常が生じたときの信号波形等を容易に確認することが困難であり、異常が生じた原因の解析や対処を速やかに行うことができない。また、放送受信装置が故障して動作しない場合、修理してからでないと信号波形等を確認できないだけでなく、故障して動作しなくなったときの信号波形等も解析することもできない。
【０００７】
そこで、この発明では異常の発生に対して容易かつ速やかな対処を可能とする放送受信装置を提供するものである。
【課題を解決するための手段】
【０００８】
この発明の概念は、放送受信装置で生成されたディジタル信号と該ディジタル信号の時間軸を示す情報を有した波形表示情報をメモリ部に循環的に書き込み、動作の異常が検出されたときに波形表示情報の書き込みを停止して、動作の異常が検出されたときの波形表示をメモリ部に記憶された波形表示情報を用いることで行えるようにすることにある。
【０００９】
この発明の放送受信装置は、放送信号を受信して得られたアナログ信号をディジタル信号に変換するＡ／Ｄ変換器を備えた放送受信装置において、前記ディジタル信号と該ディジタル信号の時間軸を示す情報を有した波形表示情報を記憶するメモリ部と、前記メモリ部への前記波形表示情報の書き込みおよび読み出しを制御する制御部と、前記メモリ部から読み出された前記波形表示情報を出力するためのインタフェース部と、前記放送受信装置の少なくとも一部について診断処理を行うことで動作の異常が生じているか否かの検出を行う異常検出部を設け、前記制御部は、前記メモリ部のアドレスを循環的に指定して前記波形表示情報の書き込みを行い、前記異常検出部で異常が検出されたとき前記波形表示情報の書き込みを停止するものである。
【００１０】
また、この発明の情報記憶方法は、放送信号を受信して得られたアナログ信号をディジタル信号に変換するＡ／Ｄ変換器を備えた放送受信装置における情報記憶方法おいて、メモリ部のアドレスを循環的に指定して、前記ディジタル信号と該ディジタル信号の時間軸を示す情報を有した波形表示情報を前記メモリ部に書き込むステップと、前記放送受信装置の少なくとも一部について診断処理を行うことで動作の異常が生じているか否かの検出を行うステップと、前記動作の異常が検出されたとき、前記メモリ部への前記波形表示情報の書き込みを停止するステップを設けたものである。
【発明の効果】
【００１１】
この発明によれば、放送受信装置で生成されたディジタル信号と該ディジタル信号の時間軸を示す情報を有した波形表示情報がメモリ部に循環的に書き込まれて、放送受信装置の少なくとも一部について診断処理を行い動作の異常が検出されたときは、波形表示情報の書き込みが停止される。このため、メモリ部に記憶されている波形表示情報を用いることで、異常が検出されたときの信号波形を表示することが可能となり、容易かつ速やかに異常の発生に対する対処を行うことができる。
【発明を実施するための最良の形態】
【００１２】
以下、図を参照しながら、この発明の実施の一形態について説明する。図１は、放送受信装置、例えばテレビジョン装置の構成を示している。
【００１３】
テレビジョン装置１０は、放送信号を受信するためのアンテナ１１が接続されており、アンテナ１１で放送信号を受信して得られた受信信号ＳRFはフロントエンド部１２に供給される。
【００１４】
フロントエンド部１２は、チューナ部１２１や復調部１２２を用いて構成されている。チューナ部１２１は、後述する制御部５１からの選局制御信号ＣＴtuに基づいて選局処理を行い、受信信号ＳRFから選局したチャンネルの中間周波信号ＳIFを生成して復調部１２２に供給する。復調部１２２は、中間周波信号ＳIFの復調処理を行い、映像信号ＳＶtuと音声信号ＳＡtuを生成する。
【００１５】
Ａ／Ｄ変換部１３は、フロントエンド部１２で生成された映像信号ＳＶtuをディジタルの映像信号ＤＶaに変換して映像信号処理部２１に供給する。また、フロントエンド部１２で生成された音声信号ＳＡtuをディジタルの音声信号ＤＡaに変換して音声信号処理部３１に供給する。
【００１６】
映像信号処理部２１は、制御部５１からの映像制御信号ＣＴvに基づき、ディジタル映像信号ＤＶaに対して種々の映像処理を行い、映像処理後の映像信号ＤＶbを表示駆動部２２に供給する。この映像信号処理部２１は、映像処理として例えばコントラスト調整やノイズリダクション処理、明るさ調整、ガンマ補正、色調整(色相、彩度)、インタレース方式の映像信号をプログレッシブ方式の映像信号に変換するＩ／Ｐ変換処理、後述する表示部２３の解像度に合わせて水平および垂直方向の画素数を調整するスケーリング処理、映像信号のフレームレート変換処理等を必要に応じて行う。
【００１７】
表示駆動部２２には、例えばＰＤＰ(Plasma Display Panel)、ＬＣＤ(Liquid Crystal Display)、ＦＥＤ(Field Emission Display)、有機ＥＬ(Electro Luminescence)等のフラットパネルディスプレイデバイスや陰極線管を用いて構成された表示部２３が接続されている。表示駆動部２２は、映像信号処理部２１から供給された映像信号ＤＶbに基づき、駆動信号ＤＲvを生成して表示部２３に供給することで、表示部２３の画面上に放送コンテンツの映像を表示する。
【００１８】
音声信号処理部３１は、音声信号ＤＡaに対して音質調整や音量調整を行い、調整処理後の音声信号ＤＡbを音声信号出力部３２に供給する。音声信号出力部３２には、スピーカ３３が接続されており、音声信号処理部３１から供給された音声信号ＤＡbに基づきアナログの音声出力信号ＳＡcを生成して、この音声出力信号ＳＡcによってスピーカ３３を駆動して放送コンテンツの音声を出力する。
【００１９】
異常検出部４１は、テレビジョン装置１０の少なくとも一部について診断処理を行うことで動作の異常が生じているか否かの検出を行い、異常が生じたことを検出したときには異常検出信号ＥＲを制御部５１に供給する。ここで、診断処理を行う診断対象は、例えばテレビジョン装置１０内の複数のデバイス等を含むものであり、実行される診断処理の内容によって診断対象が予め決められているものである。診断処理として例えば映像信号ＳＶtuや音声信号ＳＡtuの生成動作で異常が生じたか否かを検出するときはフロントエンド部１２を診断対象とする。また、映像信号ＤＶaの信号処理動作で異常が生じたか否かを検出するときは映像信号処理部２１を診断対象、音声信号ＤＡaの信号処理動作で異常が生じたか否かを検出するときは音声信号処理部３１を診断対象とする。さらに、電源部（図示せず）から供給される電力の電圧レベルが異常を生じたか否かを検出するときは電源部等を診断対象とする。
【００２０】
制御部５１は、マイクロコンピュータ等を用いて構成されており、メモリ部５２やユーザ操作部５３、時刻情報生成部５４、外部機器インタフェース部５５が接続されている。
【００２１】
メモリ部５２は、テレビジョン装置１０を動作させるためのプログラム、種々の設定情報、サービス等で用いられる波形表示情報ＨＷが記憶される。なお、プログラム，設定情報，波形表示情報ＨＷは、それぞれ独立したメモリに記憶するものとしてもよい。また、メモリ部５２は、電力供給が停止されても記憶された情報が失われることがないように、不揮発性メモリを用いて構成する。
【００２２】
ユーザ操作部５３は操作キーやリモートコントロール信号受信部等で構成されており、ユーザ操作に応じた操作信号ＰＳを生成して制御部５１に供給する。時刻情報生成部５４は、時刻情報ＪＴを生成して制御部５１に供給する。外部機器インタフェース部５５は、テレビジョン装置１０と外部機器９１を接続するためのものであり、外部機器から供給された要求信号ＲＱを制御部５１に供給する。また、テレビジョン装置１０に蓄積されている波形表示情報ＨＷを外部機器に供給する。
【００２３】
制御部５１は、メモリ部５２から読み出したプログラムを実行して、ユーザ操作部５３から供給された操作信号ＰＳやメモリ部５２に記憶されている種々の設定情報に基づき種々の制御信号、例えば選局制御信号ＣＴtuや映像制御信号ＣＴv、音声制御信号ＣＴaの供給を行うことで、ユーザ操作等に応じてテレビジョン装置を動作させる。
【００２４】
また、制御部５１は、メモリ部５２のアドレスを循環的に指定して波形表示情報ＨＷの書き込みを行い、異常検出部４１からの異常検出信号ＥＲによって異常が発生したことを検出したとき、波形表示情報ＨＷの書き込みを停止させる。
【００２５】
波形表示情報ＨＷは、テレビジョン装置１０の内部で生成されたディジタル信号と該ディジタル信号の時間軸を示す情報を有するものである。テレビジョン装置１０の内部で生成されたディジタル信号としては、例えばＡ／Ｄ変換部１３で生成された映像信号ＤＶaを用いる。また、テレビジョン装置１０の内部で生成されたディジタル信号として、異常検出部４１で診断処理を行う対象の入力および／または出力のディジタル信号を用いるものとする。例えば、異常検出部４１において電源部（図示せず）から供給される電力の電圧レベルを診断する場合、Ａ／Ｄ変換部１３は、供給される電力の電圧レベルを示すディジタル信号を生成して、この電圧レベルを示すディジタル信号を用いるものとする。
【００２６】
ディジタル信号の時間軸を示す情報とは、ディジタル信号をアナログ波形に変換するとき正しい時間軸でアナログ波形を表示できるようにするための情報であり、例えは時刻情報生成部５４で生成された時刻情報ＪＴを用いる。この時刻情報ＪＴをディジタル信号と関係付けて波形表示情報ＨＷとすれば、ディジタル信号をアナログ波形に変換するとき時刻を時間軸として正しく波形表示を行うことができる。また、時間軸を示す情報としてディジタル信号のサンプリング周波数やサンプリング周期を用いるものとしてもよい。サンプリング周波数あるいはサンプリング周期と、ディジタル信号のサンプル数を用いれば時間を算出できるので、ディジタル信号をアナログ波形に変換するとき正しい時間軸で波形表示を行うことができる。
【００２７】
制御部５１は、外部機器インタフェース部５５を介して外部機器９１からメモリ部５２に記憶されている波形表示情報ＨＷの要求がなされたとき、この波形表示情報ＨＷをメモリ部５２から読み出して外部機器インタフェース部５５を介して出力する。
【００２８】
次に、このように構成されたテレビジョン装置における波形表示情報の記憶動作について、図２に示すフローチャートを用いて説明する。ステップＳＴ１で制御部５１は、波形表示情報ＨＷの循環的な書き込みを開始する。すなわち、制御部５１は、メモリ部５２のアドレスを循環的に指定して、波形表示情報ＨＷをメモリ部５２に書き込む処理を開始する。図３は、波形表示情報ＨＷを説明するための図であり、映像信号ＤＶaと時刻情報ＪＴを用いる場合を例示したものである。図３の（Ａ）は映像信号ＳＶtu、図３の（Ｂ）は映像信号ＳＶtuをＡ／Ｄ変換して得られる映像信号ＤＶa、図３の（Ｃ）は時刻情報ＪＴを示している。
【００２９】
Ａ／Ｄ変換部１３は、例えば時点ｔ1，ｔ2，・・・，ｔ(a-1)，ｔa，ｔ(a+1)・・・のタイミングで映像信号ＳＶtuのサンプリングを行いディジタルの映像信号ＤＶaに変換する。なお、映像信号ＤＶaにおいて「Ｌ1」は時点ｔ1の信号レベル、「Ｌ2」〜「Ｌ(a+2)」は時点ｔ2〜ｔ(a+2)」の信号レベルをそれぞれ示している。ここで、映像信号ＳＶtuをＡ／Ｄ変換する場合のサンプリング周期と時刻情報ＪＴの最小単位の時間が等しい場合やサンプリング周期よりも最小単位の時間が短い場合、各映像信号ＤＶaに時刻情報ＪＴを関係付けるものとする。また、映像信号ＳＶtuをＡ／Ｄ変換する場合のサンプリング周期よりも時刻情報ＪＴの最小単位の時間が長い場合、各映像信号ＤＶaに時刻情報ＪＴを関係付けるものとすると、同じ時刻を示す時刻情報が複数記憶されることとなる。したがって、図３の（Ｃ）に示すように、時刻情報ＪＴが更新されたとき、映像信号ＤＶaに時刻情報ＪＴを関係付けて記憶する。例えば、時点ｔ1の時刻「ＴＭb」、時刻情報ＪＴが更新された時点ｔaの時刻「ＴＭ(b+1)」を映像信号ＤＶaに関係付けて記憶させる。このようにすれば、同じ時刻情報が繰り返し記憶されることがなく、メモリ部５２を効率よく利用できる。さらに、サンプリング周期よりも時刻情報ＪＴの最小単位の時間が長い場合、サンプリング周期あるいはサンプリング周波数を示す情報を波形表示情報ＨＷに含めるものとして、時刻情報が関係付けられていない映像信号についても時刻を算出できるようにする。
【００３０】
時刻情報ＪＴが更新されたときに時刻情報ＪＴを映像信号ＤＶaに関係付けて記憶する場合、メモリ部５２のメモリ容量が少ないと時刻情報ＪＴが関係付けられた映像信号ＤＶaがメモリ部５２に記憶されていない状態となって時刻情報ＪＴを得られなくなるおそれがある。したがって、循環的に書き込みを行っても時刻情報を常に得ることができるようにするため、時刻情報ＪＴが関係付けられた映像信号ＤＶaが常に記憶されているようにメモリ部５２のメモリ容量を設定する。また、このようなメモリ容量を設定できないときは、全ての映像信号ＤＶaに時刻情報ＪＴを関係付けて記憶するものとしたり、現在時刻を示す１つの時刻情報ＪＴを、メモリ部５２に記憶された全ての映像信号ＤＶaに関係した時刻として記憶させるものとしてもよい。
【００３１】
図２のステップＳＴ２で制御部５１は、異常が検出されたか否かを判別する。制御部５１は、異常検出部４１から異常検出信号ＥＲが供給されていないとき、異常が検出されていないものとしてステップＳＴ３に進む。また、制御部５１は、異常検出部４１から異常検出信号ＥＲが供給されたとき、異常が検出されたと判別してステップＳＴ５に進む。
【００３２】
ステップＳＴ３で制御部５１は、外部機器から波形表示情報の要求がなされたか否かを判別する。制御部５１は、例えば外部機器インタフェース部５５に接続された外部機器から、波形表示情報ＨＷの要求信号ＲＱが供給されていないときステップＳＴ２に戻り、要求信号ＲＱが供給されたときにはステップＳＴ４に進む。
【００３３】
ステップＳＴ４で制御部５１は、波形表示情報の出力処理を行う。すなわち、制御部５１は、メモリ部５２に循環的に書き込まれた波形表示情報ＨＷを読み出して、外部機器インタフェース部５５を介して外部機器９１に出力してステップＳＴ２に戻る。
【００３４】
ステップＳＴ２で異常が検出されたと判別されてステップＳＴ５に進むと、制御部５１は波形表示情報ＨＷの循環的な書き込みを停止してステップＳＴ６に進む。また、循環的書き込みを停止したときには、その後、テレビジョン装置の動作を停止させたのち再度動作を開始させても、書き込まれている波形表示情報ＨＷが書き替えられないように、例えば外部機器９１から指示があるまで書き込みを禁止する。
【００３５】
さらに、制御部５１は、異常が検出されたと判別されたタイミングで、あるいは異常が検出されたと判別されてから遅延したタイミングで波形表示情報ＨＷの循環的書き込みを停止する。ここで、異常が検出されたと判別されたタイミングで波形表示情報ＨＷの循環的な書き込みを停止する場合、メモリ部５２には、異常が検出されたと判別されたときから所定データ量となるまで時間的に遡った期間の波形表示情報ＨＷが記憶された状態となる。また、異常が生じたと判別されてから遅延したタイミングで波形表示情報ＨＷの循環的な書き込みを停止する場合、メモリ部５２には、異常が検出されたと判別されたときの前後の波形表示情報ＨＷが所定データ量だけ記憶された状態となる。
【００３６】
ステップＳＴ６で制御部５１は、外部機器９１から波形表示情報の要求がなされたか否かを判別する。制御部５１は、外部機器インタフェース部５５に接続された外部機器９１から、波形表示情報ＨＷの要求信号ＲＱが供給されていないときステップＳＴ６に戻り、要求信号ＲＱが供給されたときにはステップＳＴ７に進む。
【００３７】
ステップＳＴ７で制御部５１は、ステップＳＴ４と同様に波形表示情報の出力処理を行い、メモリ部５２に循環的に書き込まれて記憶されている波形表示情報ＨＷを読み出して、外部機器インタフェース部５５を介して外部機器９１に出力して処理を終了する。
【００３８】
このような波形表示情報ＨＷの情報記憶動作を行うものとすると、異常が検出されていないときには、メモリ部５２に対する波形表示情報ＨＷの循環的な書き込みが行われて、最新の波形表示情報ＨＷがメモリ部５２に所定データ量だけ記憶された状態となる。また、異常が検出されたと判別されたときには、メモリ部５２に対する波形表示情報ＨＷの循環的な書き込みが停止されて、異常検出時の波形表示情報ＨＷが記憶された状態となる。
【００３９】
保守作業者は、テレビジョン装置１０の診断等を行う際に、外部機器インタフェース部５５に外部機器９１を接続する。この外部機器９１は、メモリ部５２に記憶されている波形表示情報ＨＷを読み出して、波形表示情報ＨＷに基づいた表示を行うことできる機器であり、例えばコンピュータ装置でソフトウェアを実行して、波形表示情報ＨＷの読み出しや波形表示情報ＨＷに基づいた波形表示を行う。
【００４０】
波形表示情報ＨＷに基づいて波形表示を行う場合、波形表示情報ＨＷは上述したように映像信号ＤＶaの信号レベルと時刻情報ＪＴを関係付けたものであるから、外部機器９１は時刻情報ＪＴをＸ軸、映像信号ＤＶaの信号レベルをＹ軸として波形表示情報ＨＷに基づいた波形表示を行うことで、オシロスコープを用いた場合と同様に映像信号ＤＶaの波形表示を行うことができる。
【００４１】
ここで、異常が検出されたと制御部５１で判別されたときは、上述したように異常発生時の波形表示情報ＨＷがメモリ部５２に記憶された状態となっている。したがって、メモリ部５２から記憶されている波形表示情報ＨＷを読み出して、この波形表示情報ＨＷに基づいた表示を行うことで、外部機器９１の画面上には、テレビジョン装置１０で異常が検出されたときの映像信号ＤＶaの波形を表示できるので、異常な信号波形等を容易に確認することが可能となり、異常の発生に対する対処を容易に行うことが可能となる。
【００４２】
なお、異常が検出されたと判別されていないときには、最新の波形表示情報ＨＷがメモリ部５２に所定データ量だけ記憶された状態となっていることから、カバーの取り外し等を行わなくとも、メモリ部５２から読み出した波形表示情報ＨＷに基づいた表示を外部機器９１で行うことで、テレビジョン装置１０が動作中であるときの映像信号ＤＶaの波形確認も可能となる。また、異常が検出されたときの波形表示情報ＨＷを読み出した後に、波形表示情報ＨＷの循環的な書き込みを保守作業者が再開させることで、新たに異常が検出されたときの波形表示情報ＨＷをメモリ部５２に記憶させることができる。
【００４３】
ところで、図１に示す構成では、Ａ／Ｄ変換部１３から出力された映像信号ＤＶaを用いて波形表示情報ＨＷを構成する場合を示しているが、異常検出部４１で診断処理を行う対象の入力および／または出力のディジタル信号を用いて波形表示情報ＨＷを構成すれば、異常に対する対処をさらに容易とすることが可能となる。
【００４４】
例えば、上述したように異常検出部４１において電源部（図示せず）から供給される電力の電圧レベルを診断する場合、Ａ／Ｄ変換部１３は、供給される電力の電圧レベルを示すディジタル信号を生成して、制御部５１は、電圧レベルを示すディジタル信号を波形表示情報ＨＷに含めるものとする。この場合、電圧レベルの異常が検出されたとき、このときの電圧レベルがどのように変化したかを波形で示すことができるので、異常の発生状況を速やかに把握できる。また、異常検出部４１において電流異常の診断を行う場合、電流電圧変換を行って得られた電圧レベルを示すディジタル信号をＡ／Ｄ変換部１３で生成する。制御部５１は、Ａ／Ｄ変換部１３で生成されたディジタル信号、すなわち電流レベルを示すディジタル信号を波形表示情報に含めるものとする。この場合、電流レベルの異常が検出されたとき、このときの電流レベルがどのように変化したかを波形で示すことができるので、異常の発生状況を速やかに把握できる。
【００４５】
さらに、異常検出部４１において映像信号処理部２１の信号処理動作について診断を行う場合、制御部５１は診断が行われる信号処理の入力および／または出力のディジタル映像信号を波形表示情報に含めるものとする。この場合、信号処理を行ったときに異常が生じたときの入力および／または出力のディジタル映像信号の波形を容易に確認できる。
【００４６】
また、異常検出部４１において音声信号処理部３１の信号処理動作について診断を行う場合、制御部５１は診断が行われる信号処理の入力および／または出力のディジタル音声信号を波形表示情報に含めるものとする。この場合、信号処理を行ったときに異常が生じたときの入力および／または出力のディジタル音声信号の波形を容易に確認できる。
【００４７】
また、テレビジョン装置１０に外部機器インタフェース部５５を設けた図１に示す構成では、保守作業者がユーザ宅に出向いて、外部機器インタフェース部５５に外部機器９１を接続しなければ、波形表示を行うことができない。しかし、テレビジョン装置１０をネットワークに接続可能とすれば、離れた場所からでもメモリ部５２に記憶されている波形表示情報ＨＷを読み出すことができる。
【００４８】
図４は、テレビジョン装置の他の構成として、ネットワークに接続可能とされている場合の構成を示している。なお、図４において、図１と対応する部分については同一符号を付し、詳細な説明は省略する。
【００４９】
テレビジョン装置１０ａでは、ネットワーク９２と接続するための通信インタフェース部５６を設けるものとする。
【００５０】
通信インタフェース部５６は、ネットワーク９２を介して供給された通信信号から自己宛のフレームを選択したのちデパケット化等を行い、得られた信号を制御部５１に供給する。また、メモリ部５２から読み出された波形表示情報ＨＷを、予め決められた通信プロトコルに準拠した信号に変換したのちパケット化して、送信先のアドレス等を示すヘッダ情報等を付加してフレーム化したのち、フレームヘッダを付加して通信信号としてネットワーク９２に送信する。
【００５１】
サービスセンタ９３は、ネットワーク９２を介してテレビジョン装置１０ａにアクセスする。ここで、テレビジョン装置１０ａに異常が発生したとき、ユーザからサービスセンタ９３に対してサービス要求を行い、サービスセンタ９３では、サービス要求が行われたテレビジョン装置１０ａにアクセスしてメモリ部５２に記憶されている波形表示情報ＨＷを読み出す。また、テレビジョン装置１０ａに異常が発生したとき、テレビジョン装置１０ａからサービスセンタ９３に対して自動的にサービス要求を行い、サービスセンタ９３では、サービス要求が行われたテレビジョン装置１０ａにアクセスしてメモリ部５２に記憶されている波形表示情報ＨＷを自動的に読み出すものとしてもよい。
【００５２】
このようにすれば、保守作業者がユーザ宅に出向いてテレビジョン装置１０ａに外部機器を接続しなくとも、サービスセンタ９３からネットワーク９２を介してテレビジョン装置１０ａのメモリ部５２に記憶されている波形表示情報ＨＷを読み出て、波形表示を行うことができるので、テレビジョン装置１０ａで異常が生じたとき、速やかなサービス対応が可能となる。さらに、波形表示情報ＨＷとして記憶させるディジタル信号をサービスセンタ９３から遠隔で指定するようにすれば、サービスセンタ９３で必要とされるディジタル信号をメモリ部５２に記憶させることができるので、異常の発生原因の解析を効率よく容易に行うことができる。
【００５３】
なお、上述の実施の形態では、放送信号を受信して得られたアナログ信号をディジタル信号に変換するＡ／Ｄ変換器を備えた放送受信装置として、テレビジョン装置の場合について説明したが、セットトップボックスや放送信号を受信して記録する記録装置等にも適用できることは勿論である。
【図面の簡単な説明】
【００５４】
【図１】テレビジョン装置の構成を示す図である。
【図２】波形表示情報の記憶動作を示すフローチャート図である。
【図３】波形表示情報を説明するための図である。
【図４】テレビジョン装置の他の構成を示す図である。
【符号の説明】
【００５５】
１０，１０ａ・・・テレビジョン装置、１１・・・アンテナ、１２・・・フロントエンド部、１３・・・Ａ／Ｄ変換部、２１・・・映像信号処理部、２２・・・表示駆動部、２３・・・表示部、３１・・・音声信号処理部、３２・・・音声信号出力部、３３・・・スピーカ、４１・・・異常検出部、５１・・・制御部、５２・・・メモリ部、５３・・・ユーザ操作部、５４・・・時刻情報生成部、５５・・・外部機器インタフェース部、５６・・・通信インタフェース部、９１・・・外部機器、９２・・・ネットワーク、９３・・・サービスセンタ、１２１・・・チューナ部、１２２・・・復調部
【図１】
2008312029.tif 000003
【図２】
2008312029.tif 000004
【図３】
2008312029.tif 000005
【図４】
2008312029.tif 000006